(57)【要約】【課題】環境にやさしく、完全に生物的に分解可能なポリ乳酸紙及び前記ポリ乳酸紙からなる食品容器を提供する。【解決手段】ポリ乳酸紙であって、少なくとも紙と、前記紙を覆う９７〜１００重量％ポリ乳酸材および０〜３重量％澱粉、ポリカプロラクトン、多価アルコールまたは他の生物的に分解可能の材料からなる群から選ばれる材料を有するフィルムとを含むポリ乳酸紙及び前記ポリ乳酸紙からなる食品容器を提供する。【選択図】図１
2010189828.tif 000002
【特許請求の範囲】
【請求項１】
ポリ乳酸紙であって、少なくとも、
紙と、
前記紙を覆う９７〜１００重量％のポリ乳酸材および０〜３重量％の澱粉、ポリカプロラクトン、多価アルコールまたは他の生物的に分解可能な材料からなる群から選ばれるいずれかの材料を有するフィルムと、
を備えることを特徴とするポリ乳酸紙。
【請求項２】
前記フィルムは、前記紙の片面または両面を覆うことを特徴とする請求項１に記載のポリ乳酸紙。
【請求項３】
前記ポリ乳酸材は、含量が９８重量％であることを特徴とする請求項１に記載のポリ乳酸紙。
【請求項４】
前記ポリ乳酸材は、含量が９９重量％であることを特徴とする請求項１に記載のポリ乳酸紙。
【請求項５】
前記ポリ乳酸材は、含量が９９.５重量％であることを特徴とする請求項１に記載のポリ乳酸紙。
【請求項６】
前記フィルムは、スプレー、塗布、または貼り合せによって前記紙を覆うことを特徴とする請求項１に記載のポリ乳酸紙。
【請求項７】
食品容器であって、少なくとも請求項１ないし６のいずれかに記載のポリ乳酸紙からなることを特徴とする食品容器。
【請求項８】
ポリ乳酸紙であって、少なくとも、
紙と、
前記紙を覆う１００重量％のポリ乳酸材を有するフィルムと、
を備えることを特徴とするポリ乳酸紙。
【請求項９】
前記フィルムは、前記紙の片面または両面を覆うことを特徴とする請求項８に記載のポリ乳酸紙。
【請求項１０】
前記フィルムは、スプレー、塗布、または貼り合せによって前記紙を覆うことを特徴とする請求項８に記載のポリ乳酸紙。
【発明の詳細な説明】
【技術分野】
【０００１】
本発明は、紙に関するものであり、特に完全に生物的に分解可能な紙、及びそれを用いた食品容器に関するものである。
【背景技術】
【０００２】
一般に、食品産業に使われる紙製の食品容器には、例えば杯、皿、茶碗などがある。紙製品自身が防水できないので、コストと機能を考慮して、前記紙製の食品容器のほとんどは、紙をプラスチックフィルムで覆い、プレス工程や、カットして接着する工程によって製造され、プラスチックフィルムによって、紙製品の食品容器が防水、防油の機能を奏し、液体が紙に浸透して、食品容器が破損してしまうことを防止する。前記プラスチックフィルムとして、ポリエチレン-テレフタレート（ＰＥＴ）、ポリビニル-アルコール（ＰＶＡ）、エチレン 酢酸ビニル（ＥＶＡ）、低密度ポリエチレン（ＬＤＰＥ）、などが挙げられる。
【０００３】
しかしながら、前記紙製品食品容器が廃棄されても、紙製品食品容器を覆うプラスチックフィルムは分解できず、そのため焼却で処理することが考えられるが、焼却するときの温度が高く、焼却炉の寿命が縮められ、また、焼却するときに排気ガスが発するため、前記食品容器は環境汚染源になることから、環境保護が重視されるにしたがって、より環境に優しい材料が求められている。
【０００４】
現在、従来のプラスチックフィルムの代わりに、生物的分解可能な材料、例えば、ポリ乳酸、澱粉、ポリカプロラクトン（ＰＣＬ）などが食品容器に応用されている。しかしこれらの生物的分解可能な材料が応用された食品容器や紙は、ポリ乳酸の含量が約５０％であり、一部の食品容器には、生物的分解不能な材料が依然として含まれているため、食品容器が分解される速度に影響する。また、生物的分解不能な材料もそのまま環境に残され、前記環境問題の解決策になっていない。
【発明の概要】
【発明が解決しようとする課題】
【０００５】
そこで、本発明は、環境に優しく、完全に生物的に分解可能なポリ乳酸紙及び前記ポリ乳酸紙からなる食品容器を提供することを課題とする。
【課題を解決するための手段】
【０００６】
前記課題を達成するために、本発明に係るポリ乳酸紙は、少なくとも紙と、前記紙を覆う９７〜１００重量％のポリ乳酸材および０〜３重量％の澱粉、ポリカプロラクトン、多価アルコールまたは他の生物的に分解可能な材料からなる群から選ばれるいずれかの材料を有するフィルムとを備える。
【０００７】
また、前記フィルムは、前記紙の片面または両面を覆ってもよい。
【０００８】
前記ポリ乳酸材は、含量が９８重量％や、９９重量％や、９９.５重量％であってもよい。
また、前記フィルムは、スプレー、塗布、または貼り合せによって前記紙を覆う。
また、本発明に係る食品容器は、少なくとも前記ポリ乳酸紙からなる食品容器である。
【発明の効果】
【０００９】
本発明によれば、従来のプラスチックフィルムの代わりに、ポリ乳酸が用いられ、よりよい防水、防油の効果だけでなく、一般のプラスチックフィルムよりポリ乳酸の方が強度が良いため、紙材を薄くすることができ、これによって製品の重量が軽くなって、紙の使用量が減少される。これもまた搬送の燃料や紙原料が削減され、環境保護の効果がある。また、ポリ乳酸が完全に生物的に分解されるため、適切な温度、湿度の非密閉空間において、本発明に係るポリ乳酸紙は水と二酸化炭素に分解され、環境に戻り、生物に利用される。たとえ焼却されても、本発明に係るポリ乳酸紙は、発する熱が一般のプラスチックフィルムより低いため、焼却炉の寿命を延長することができる。
【図面の簡単な説明】
【００１０】
下記図面の簡単な説明は、本発明の前記または他の目的、特徴、メリット、実施形態をより分かりやすくするためのものである。
【図１】本発明の実施形態によるポリ乳酸紙の構造を示す図である。
【図２】本発明の他の実施形態によるポリ乳酸紙の構造を示す図である。
【発明を実施するための形態】
【００１１】
本発明は多様な形態で実施することができ、よりわかり易いように、図面および以下の説明に挙げられた例は、本発明の好適な実施形態であり、決して本発明を限定するものではない。
【００１２】
図１は本発明の実施形態によるポリ乳酸紙の構造を示す図である。図１に示すように、ポリ乳酸紙１００は、紙１１０と、フィルム１２０とを備える。フィルム１２０は、９７〜１００重量％のポリ乳酸材が含まれ、スプレー、塗布、または貼り合せによって紙１１０の片面を覆う。また、前記フィルム１２０は、ポリ乳酸材の含量が９８重量％や、９９重量％や、９９.５重量％であってもよく、１００重量％であってもよい。
【００１３】
また、例えば折りたたみ紙パック、化粧箱、卵を入れるための特殊形状の容器、薄めのフィルムで覆われるポリ乳酸紙などの紙製品によって、フィルム１２０には、他の改質材、例えば０〜３重量％の澱粉、ポリカプロラクトン、多価アルコール、他の生物的に分解可能な材料からなる群から選ばれるいずれかの材料を添加してもよい。
【００１４】
また、フィルム１２０は、一層で紙１１０の片面を覆うものに限定されるのではなく、多層で紙１１０の片面を覆ってもよい。
【００１５】
また、図２は本発明の他の実施形態によるポリ乳酸紙の構造を示す図である。図２に示すように、ポリ乳酸紙２００は、紙２１０と、フィルム２２０とを備える。図２において、フィルム２２０は、一層で紙２１０の両面を覆うが、多層で紙２１０の両面を覆ってもよく、これによって、紙２１０の両面を防水させる。
【００１６】
前記ポリ乳酸紙は、種々の食品容器、例えば杯、コーヒーカップ、皿、茶碗などに応用することができる。
【００１７】
表１は、本発明に係るポリ乳酸紙に含まれるポリ乳酸が１００％の場合、ポリ乳酸紙を、温度５６℃〜６０℃、湿度は飽和する１００％、無二酸化炭素の、堆肥を製造する環境に置いて、日数別のポリ乳酸の分解率を示す。
【表１】
2010189828.tif 000003
（ポリ乳酸含量１００％）
【００１８】
表１によると、本発明に係るポリ乳酸紙に含まれるポリ乳酸が１００％の場合、３０日経つと５０％が分解され、８０日を越えると９０％以上が分解される。
【００１９】
前記本発明の実施形態により、本発明に係るポリ乳酸紙は、適切な温度、湿度の非密閉空間に置かれた場合、完全に水と二酸化炭素に分解され、水と二酸化炭素が環境に戻され、生物に再利用され、環境汚染を減少することができる。また、ポリ乳酸紙で製造された食品容器は、使用後に焼却されても、発する熱が一般のプラスチックより低いため、焼却炉の寿命を延長することができる。また、一般のプラスチックフィルムよりポリ乳酸の方が強度が良いため、紙材を薄くすることができ、これによって製品の重量が軽くなって、紙の使用量が減少される。これもまた搬送の燃料や紙原料が削減され、環境保護の効果がある。
【００２０】
本発明では好適な実施形態を前述の通り開示したが、これは、決して本発明を限定するものではなく、当該分野の技術を熟知しているものであれば、本発明の精神と領域を離脱しない範囲内で、多様の変動や修正を加えることができるので、本発明の保護範囲は、特許請求の範囲で指定した内容を基準とする。
【符号の説明】
【００２１】
１００…ポリ乳酸紙
１１０…紙
１２０…フィルム
２００…ポリ乳酸紙
２１０…紙
２２０…フィルム
【図１】
2010189828.tif 000004
【図２】
2010189828.tif 000005